(57)【要約】【課題】冷却手段の駆動音及び画像形成装置内部から発生する騒音が冷却手段の開口部から漏れることを低減することができる画像形成装置を提供する。【解決手段】画像情報に基づいて記録媒体に現像剤で未定着画像を形成する画像形成手段と、該画像形成手段で記録媒体に形成された未定着画像を溶融して記録媒体に画像が形成されるように定着する定着手段と、前記画像形成手段及び定着手段で一面に画像が形成された記録媒体を反転して両面に画像を形成するため再度前記画像形成手段に搬送する反転搬送手段と、該反転搬送手段で搬送する記録媒体を通気で冷却する冷却手段と、前記画像形成手段及び定着手段で一面又は両面に画像が形成された記録媒体が排出される排出部と、を備え、前記冷却手段は、前記排出部に形成される通気路で通気することを特徴とする画像形成装置。【選択図】図３
2008216760.tif 000002
【特許請求の範囲】
【請求項１】
画像情報に基づいて記録媒体に現像剤で未定着画像を形成する画像形成手段と、
該画像形成手段で記録媒体に形成された未定着画像を溶融して記録媒体に画像が形成されるように定着する定着手段と、
前記画像形成手段及び定着手段で一面に画像が形成された記録媒体を反転して両面に画像を形成するため再度前記画像形成手段に搬送する反転搬送手段と、
該反転搬送手段で搬送する記録媒体を通気で冷却する冷却手段と、
前記画像形成手段及び定着手段で一面又は両面に画像が形成された記録媒体が排出される排出部と、を備え、
前記冷却手段は、前記排出部に形成される通気路で通気することを特徴とする画像形成装置。
【請求項２】
画像情報に基づいて記録媒体に現像剤で未定着画像を形成する画像形成手段と、
該画像形成手段で記録媒体に形成された未定着画像を溶融して記録媒体に画像が形成されるように定着する定着手段と、
前記画像形成手段及び定着手段で一面に画像が形成された記録媒体を反転して両面に画像を形成するため再度前記画像形成手段に搬送する反転搬送手段と、
該反転搬送手段で搬送する記録媒体を通気で冷却する冷却手段と、
前記画像形成手段に記録媒体を供給する供給部と、を備え、
前記冷却手段は、前記供給部に形成される通気路で通気することを特徴とする画像形成装置。
【請求項３】
前記通気路の開口部は、下方又は画像形成装置の後方に向けて開口していることを特徴とする請求項１又は２に記載の画像形成装置。
【請求項４】
画像情報に基づいて記録媒体に現像剤で未定着画像を形成する画像形成手段と、
該画像形成手段で記録媒体に形成された未定着画像を溶融して記録媒体に画像が形成されるように定着する定着手段と、
前記画像形成手段及び定着手段で一面に画像が形成された記録媒体を反転して両面に画像を形成するため再度前記画像形成手段に搬送する反転搬送手段と、
該反転搬送手段で搬送する記録媒体を通気で冷却する冷却手段と、
前記画像形成手段及び定着手段で一面又は両面に画像が形成された記録媒体が排出される排出部と、を備え、
前記冷却手段は前記排出部に形成される通気路で通気すると共に、該通気路の開口部は前記排出部に排出された記録媒体の表面を通気で冷却するように形成されていることを特徴とする画像形成装置。
【請求項５】
前記冷却手段による前記通気路での通気は吸気であり、前記冷却手段には、前記排出部に排出された記録媒体の表面に発生している臭気及び揮発性有機化合物を除去する除去手段が設けられていることを特徴とする請求項４に記載の画像形成装置。
【請求項６】
前記排出部には、該排出部に排出された記録媒体の上下方向の位置が所定高さとなるように記録媒体の自重に応じて上下方向に変位する変位手段が設けられている請求項４又は５に記載の画像形成装置。
【発明の詳細な説明】
【技術分野】
【０００１】
本発明は、画像形成装置に関する。
【背景技術】
【０００２】
従来、トナー像を載せている像担持材を加熱部を通すことにより該トナー像を該像担持材上に定着する定着装置において、上記加熱部から出た像担持材が搬送される像担持材搬送路に風を吹き付ける冷却手段を有し、その風が該加熱部から離れる方向へ向けて流れることを特徴とする定着装置が知られている（特許文献１参照）。
【０００３】
また、未定着現像剤像を記録材上に転写せしめる転写装置と、該転写装置から搬送された記録材を挟持搬送しながら加熱及び加圧して、上記未定着現像剤像を該記録材に定着せしめる定着装置と、該定着装置から排出された記録材を、両面画像形成時に上記転写装置側へ再度搬送せしめる両面ユニット装置と、該両面ユニット装置内に設置され、記録材を冷却せしめる冷却用ファンとを備えた画像形成装置において、上記冷却用ファンは、両面画像形成時にて所定の条件を満たした場合にのみ所定期間だけ所定速度で駆動し、所定期間経過後は停止または減速駆動するように設定されていることを特徴とする画像形成装置が知られている（特許文献２参照）。
【０００４】
【特許文献１】実開平０１−１６６３５４号公報
【特許文献２】特開平０７−２３９６４７号公報
【発明の開示】
【発明が解決しようとする課題】
【０００５】
本発明の目的とするところは、画像形成手段で記録媒体に現像剤で形成される未定着画像が定着手段で溶融されて画像が形成される記録媒体を、一面に画像が形成された記録媒体を反転して両面に画像を形成するため再度画像形成手段に搬送する反転搬送手段で反転搬送される際に冷却する冷却手段を有し、冷却手段の駆動音及び画像形成装置内部から発生する騒音が冷却手段の開口部から漏れることを低減することができる画像形成装置を提供することにある。
【課題を解決するための手段】
【０００６】
請求項１に記載された発明は、画像情報に基づいて記録媒体に現像剤で未定着画像を形成する画像形成手段と、該画像形成手段で記録媒体に形成された未定着画像を溶融して記録媒体に画像が形成されるように定着する定着手段と、前記画像形成手段及び定着手段で一面に画像が形成された記録媒体を反転して両面に画像を形成するため再度前記画像形成手段に搬送する反転搬送手段と、該反転搬送手段で搬送する記録媒体を通気で冷却する冷却手段と、前記画像形成手段及び定着手段で一面又は両面に画像が形成された記録媒体が排出される排出部と、を備え、前記冷却手段は、前記排出部に形成される通気路で通気することを特徴とする画像形成装置である。
【０００７】
請求項２に記載された発明は、画像情報に基づいて記録媒体に現像剤で未定着画像を形成する画像形成手段と、該画像形成手段で記録媒体に形成された未定着画像を溶融して記録媒体に画像が形成されるように定着する定着手段と、前記画像形成手段及び定着手段で一面に画像が形成された記録媒体を反転して両面に画像を形成するため再度前記画像形成手段に搬送する反転搬送手段と、該反転搬送手段で搬送する記録媒体を通気で冷却する冷却手段と、前記画像形成手段に記録媒体を供給する供給部と、を備え、前記冷却手段は、前記供給部に形成される通気路で通気することを特徴とする画像形成装置である。
【０００８】
請求項３に記載された発明は、前記通気路の開口部は、下方又は画像形成装置の後方に向けて開口していることを特徴とする請求項１又は２に記載の画像形成装置である。
【０００９】
請求項４に記載された発明は、画像情報に基づいて記録媒体に現像剤で未定着画像を形成する画像形成手段と、該画像形成手段で記録媒体に形成された未定着画像を溶融して記録媒体に画像が形成されるように定着する定着手段と、前記画像形成手段及び定着手段で一面に画像が形成された記録媒体を反転して両面に画像を形成するため再度前記画像形成手段に搬送する反転搬送手段と、該反転搬送手段で搬送する記録媒体を通気で冷却する冷却手段と、前記画像形成手段及び定着手段で一面又は両面に画像が形成された記録媒体が排出される排出部と、を備え、前記冷却手段は前記排出部に形成される通気路で通気すると共に、該通気路の開口部は前記排出部に排出された記録媒体の表面を通気で冷却するように形成されていることを特徴とする画像形成装置である。
【００１０】
請求項５に記載された発明は、前記冷却手段による前記通気路での通気は吸気であり、前記冷却手段には、前記排出部に排出された記録媒体の表面に発生している臭気及び揮発性有機化合物を除去する除去手段が設けられていることを特徴とする請求項４に記載の画像形成装置である。
【００１１】
請求項６に記載された発明は、前記排出部には、該排出部に排出された記録媒体の上下方向の位置が所定高さとなるように記録媒体の自重に応じて上下方向に変位する変位手段が設けられている請求項４又は５に記載の画像形成装置である。
【発明の効果】
【００１２】
請求項１に記載された発明によれば、本構成を有しない場合に比較して冷却手段の駆動音及び画像形成装置内部から発生する騒音が冷却手段の開口部から漏れることを低減することができる。
【００１３】
請求項２に記載された発明によれば、本構成を有しない場合に比較して冷却手段の駆動音及び画像形成装置内部から発生する騒音が冷却手段の開口部から漏れることを低減することができる。
【００１４】
請求項３に記載された発明によれば、本構成を有しない場合に比較して更に冷却手段の駆動音及び画像形成装置内部から発生する騒音が冷却手段の開口部から漏れることを低減することができる。
【００１５】
請求項４に記載された発明によれば、本構成を有しない場合に比較して冷却手段の駆動音及び画像形成装置内部から発生する騒音が冷却手段の開口部から漏れることを低減することができると共に、排出部に排出された記録媒体の表面を通気で冷却することができる。
【００１６】
請求項５に記載された発明によれば、本構成を有しない場合に比較して上記効果に加え排出部に排出された記録媒体の表面に発生している臭気及び揮発性有機化合物を除去することができる。
【００１７】
請求項６に記載された発明によれば、本構成を有しない場合に比較して上記効果に加え排出部に排出された記録媒体の上下方向の位置が所定高さとなるようにすることができる。
【発明を実施するための最良の形態】
【００１８】
以下に、本発明の実施形態について図面を参照して説明する。
【００１９】
[第１実施形態]
図１〜図３は、本発明に係る画像形成装置の第１実施形態を説明する図である。
【００２０】
図１は、本実施形態における画像形成装置を示す図である。画像形成装置１００は、プラテン１０上に置かれた原稿１１の画像を光学的に読み取ってこれをＣＣＤセンサ１２で電気的な画像データ（画像情報）に変換する画像入力部（ＩＩＴ）１、及び画像入力部１から転送された画情データに基づいて記録シート（記録媒体）Ｐ上に画像形成を行う画像出力部（ＩＯＴ）２から構成されており、更に、画像入力部１にはプラテン１０に対して原稿１１を自動給送するＡＤＦ１３を取り付けることができるようになっている。
【００２１】
画像出力部２は、画像データに基づいて記録シートＰに現像剤で未定着画像を形成する画像形成部（画像形成手段）２Ａ、及び画像形成部２Ａで記録シートＰに形成された未定着画像を溶融して記録シートＰに画像が形成されるように定着する定着器（定着手段）４から構成されている。
【００２２】
画像出力部２は画像入力部１から転送された画像データに基づいて感光体ドラム２０上にトナー像を形成した後、かかるトナー像を無端状の転写ベルト３に一次転写し、更に転写ベルト３上のトナー像を記録シートＰに二次転写することで記録シートＰ上に未定着画像を形成しており、トナー像が二次転写された記録シートＰは定着器４を経て排出トレイ（排出部）５０上に排出されるようになっている。排出トレイ５０の詳細については後述する。
【００２３】
また、感光体ドラム２０は所定のプロセス速度で矢線方向に回転しており、その周囲には、感光体ドラム２０の表面を所定の背景部電位にまで一様帯電する帯電コロトロン２１、画像データに基づいて変調されたレーザビームで感光体ドラム２０を露光し、感光体ドラム２０上に静電潜像を形成するレーザビームスキャナ２２、感光体ドラム２０上の静電潜像を現像する現像器２３、転写ベルト３に対するトナー像の一次転写に先立って感光体ドラム２０上の電位を除去する転写前処理コロトロン２４、及びトナー像の一次転写が終了した後の感光体ドラム２０上の残留トナーを除去するクリーナ２５が配置されている。
【００２４】
一方、転写ベルト３は複数のロールに掛け回されて矢線方向に回転しており、感光体ドラム２０上に形成されるトナー像はこの転写ベルト３に転写された後に、転写ベルト３から記録シートＰへ二次転写されるようになっている。転写ベルト３を挟んで感光体ドラム２０と対向する位置には感光体ドラム２０との間に転写電界を形成する一次転写ロール３０が設けられる一方、トナー像の二次転写位置には二次転写ロール３１及び対向電極ロール３２が転写ベルト３を挟んで設けられており、記録シートＰは二次転写ロール３１と転写ベルト３との間に挿入され通過されてトナー像が転写されるように構成されている。また、転写ベルト３の回転経路のうち、二次転写位置と一次転写位置との間には、二次転写が終了した転写ベルト３の表面から紙粉や残留トナーを除去するベルトクリーナ３３が設けられている。
【００２５】
また、画像出力部２の下方は、画像出力部２に対して記録シートＰを供給するための給紙部となっており、サイズの異なる記録シートＰを収容した４段の給紙トレイ５ａ〜５ｄが装備されている。そして、複写作業で選択されたサイズの記録シートＰがピックアップロール５１の回転により、いずれかの給紙トレイから画像出力部２へ送り出されるようになっている。各給紙トレイ５ａ〜５ｄからトナー像の二次転写位置へ至る記録シートＰの搬送経路上には複数のシート搬送ロール５２が設けられていると共に、二次転写位置の直前にはレジストレーションロール５３が設けられており、レジストレーションロール５３は給紙トレイ５ａ〜５ｄから送り出された記録シートＰを感光体ドラム２０に対する静電潜像の書き出しタイミングに同期した所定のタイミングで二次転写位置に送り込むようになっている。
【００２６】
尚、図１中において、符号２６は画像入力部１から画像出力部２に転送されてきた画像データを複写作業の内容に応じて処理した後にレーザビームスキャナ２２に供給する画像処理部である。
【００２７】
また、符号５４は記録シートＰの手差し給紙に用いる手差しトレイ（画像形成部２Ａに記録シートＰを供給する供給部）である。
【００２８】
また、符号５５はトナー像が二次転写された記録シートＰを定着器４へ給送するためのシート搬送ベルトである。
【００２９】
また、符号５６は、画像形成部２Ａ及び定着器４で一面に画像が形成された記録シートＰを反転して両面に画像を形成するため再度画像形成部２Ａに搬送するインバータ通路（反転搬送手段）である。従って、排出トレイ５０には、画像形成部２Ａ及び定着器４で一面又は両面に画像が形成された記録シートＰが排出される。
【００３０】
インバータ通路５６の近傍には、インバータ通路５６で搬送する記録シートＰを通気で冷却するファン（冷却手段）５８が設けられている。ファン５８の詳細については後述する。
【００３１】
また、符号ＣＲは、各構成機器の所定の制御動作を司る装置コントローラである。
【００３２】
以上のように構成された本実施形態における画像形成装置では、画像入力部１によって取り込まれた原稿の画像データに基づいてレーザビームスキャナ２２が感光体ドラム２０を露光し、感光体ドラム２０上には画像データに対応した静電潜像の書き込みが行われる。この静電潜像は現像器２３によってその書き込みタイミングから少し遅れて現像される。そして、このようにして形成されたトナー像は一次転写ロール３０によって転写ベルト３上に一次転写され、転写ベルト３はトナー像を保持したまま回転する。転写ベルト上に一次転写されたトナー像は所定のタイミングでレジストレーションロール５３から送られてきた記録シートＰに二次転写され、未定着画像が転写された記録シートＰは定着器４を経て排出トレイ５０に排出される。
【００３３】
次に、本実施形態における画像形成装置１００の排出トレイ５０及びファン５８について説明する。
【００３４】
図２及び図３は、本実施形態における画像形成装置の排出トレイ及びファンを説明する図である。
【００３５】
図２は、本実施形態における画像形成装置の排出トレイ及びファンの位置関係を示す図である。図２（ａ）は、画像形成装置１００から排出トレイ５０を取り外した状態である画像形成装置本体１００Ａを示す斜視図である。図２（ｂ）は、画像形成装置本体１００Ａに排出トレイ５０を取り付けた状態である画像形成装置１００を示す斜視図である。
【００３６】
画像形成装置本体１００Ａの右側面には、画像形成部２Ａ及び定着器４で一面又は両面に画像が形成された記録シートＰが画像形成装置本体１００Ａから排出される排出口６０が形成されている。
【００３７】
また、画像形成装置本体１００Ａの右側面には、排出口６０の下方であってインバータ通路５６の右方に画像形成装置本体１００Ａの内部と外部とを通気する通気口６２が形成されている。尚、本実施形態において通気口６２は、水平方向に所定間隔で２箇所に形成されている。
【００３８】
ファン５８は、通気口６２の画像形成装置本体１００Ａ内部側に設けられている。尚、本実施形態においてファン５８は２箇所に設けられている通気口６２に対応して２個設けられている。ファン５８は、画像形成装置１００の外部から内部に空気を吸気する吸気ファンである。
【００３９】
排出トレイ５０は、排出口６０の下部であって通気口６２を画像形成装置本体１００Ａの外部から水平視で覆うように画像形成装置本体１００Ａの右側面に設けられている。
【００４０】
排出トレイ５０は、画像形成装置本体１００Ａの右側面に取り付けられる取付部５０ａ、及び取付部５０ａの下端を基端部として正面視で所定角度上方に傾斜するように所定距離延びて排出口６０から排出された記録シートＰが載るように形成されているトレイ部５０ｂから構成されている。
【００４１】
図３は、本実施形態における排出トレイに形成されている通気路を示す図である。図３（ａ）は、排出トレイ５０の通気路５０ｃを示す正面図である。図３（ｂ）は、排出トレイ５０の通気路５０ｃを示す底面図である。
【００４２】
排出トレイ５０には、画像形成装置の外部と内部とを通気する通気路５０ｃが形成されている。排出トレイ５０の通気路５０ｃは、排出トレイ５０のトレイ部５０ｂの基端部における画像形成装置本体１００Ａ側である右端面に形成されている開口部５０ｄと排出トレイ５０のトレイ部５０ｂの基端部における下端面に形成されている開口部５０ｅとが接続されて形成される空洞である。
【００４３】
尚、開口部５０ｄは、画像形成装置本体１００Ａに形成されている通気口６２の位置と略同一位置に形成されていると共に通気口６２の開口面積と略同一面積となるように形成されている。
【００４４】
尚、本実施形態において通気路５０ｃは、２個設けられているファン５８に対応して２箇所に設けられている。
【００４５】
以上、本実施形態においてファン５８は、排出トレイ５０に形成される通気路５０ｃで通気する。
【００４６】
また、本実施形態において通気路５０ｃの開口部５０ｅは、下方に向けて開口している。
【００４７】
尚、排出トレイ５０の通気路の開口部は、画像形成装置１００の後方に向けて開口するようにすることもできる。
【００４８】
[第２実施形態]
次に、本発明に係る画像形成装置の第２実施形態について説明する。図４及び図５は、本発明に係る画像形成装置の第２実施形態を説明する図である。
【００４９】
図４は、本実施形態における画像形成装置（カラー複合機）を示す図である。尚、カラー複合機２００は、複写機やプリンタ、或いはファクシミリとしての機能をも兼ね備えている。
【００５０】
カラー複合機（画像形成装置）２００は、図４に示すように、上部に画像読取装置としてのスキャナ１０３を備えていると共に、図示しないネットワークを介して図示しないパーソナルコンピュータ等が接続されている。
【００５１】
カラー複合機２００は、スキャナで読み取った文書の画像を複写したり、パーソナルコンピュータから送られてきた画像データに基づいてプリントしたり、電話回線を介して画像データを送受信するファックスとして機能するようになっている。
【００５２】
図４において、１０１はカラー複合機の本体を示すものであり、カラー複合機本体（装置本体）１０１の上部には、図示しない原稿を一枚ずつ分離した状態で自動的に搬送する自動原稿搬送装置（ＡＤＦ）１０２と、自動原稿搬送装置１０２によって搬送される原稿の画像を読み取るスキャナ１０３が設けられている。スキャナ１０３は、プラテンガラス１０４上に置かれた図示しない原稿を光源１０５によって照明し、原稿からの反射光像を、フルレートミラー１０６及びハーフレートミラー１０７、１０８及び結像レンズ１０９からなる縮小光学系１１１を介してＣＣＤ等からなる画像読取素子１１０上に走査露光して、画像読取素子１１０によって原稿の反射光像を所定のドット密度（例えば、１６ドット／ｍｍ）で読み取るようになっている。
【００５３】
スキャナ１０３によって読み取られた原稿の反射光像は、例えば、赤（Ｒ）、緑（Ｇ）、青（Ｂ）（各８ｂｉｔ）の３色の反射率データとして画像処理装置１１２（ＩＰＳ）に送られ、画像処理装置１１２では、原稿の画像データ（画像情報）に対して、必要に応じて、シェーディング補正、位置ズレ補正、明度／色空間変換、ガンマ補正、枠消し、色／移動編集等の所定の画像処理が施される。また、画像処理装置１１２は、図示しないパーソナルコンピュータ等から送られてくる画像データ（画像情報）に対しても、所定の画像処理を行なうようになっている。
【００５４】
画像処理装置１１２で所定の画像処理が施された画像データは、同じく画像処理装置１１２によって、イエロー（Ｙ）、マゼンタ（Ｍ）、シアン（Ｃ）、ブラック（Ｋ）（各８ビット）の４色の階調データ（画像データ）に変換され、後述するイエロー（Ｙ）、マゼンタ（Ｍ）、シアン（Ｃ）、ブラック（Ｋ）の各色の画像形成ユニット１１３Ｙ、１１３Ｍ、１１３Ｃ、１１３Ｋに共通するＲＯＳ（Ｒａｓｅｒ  Ｏｕｔｐｕｔ  Ｓｃａｎｎｅｒ）１１４に送られる。画像書き込み手段としてのＲＯＳ１１４では、所定の色の階調データに応じてレーザ光ＬＢによる画像露光が行われる。尚、カラー画像に限らず、白黒の画像のみを形成することもできる。
【００５５】
装置本体１０１の内部には、図４に示すように、画像形成手段Ａが設けられており、画像形成手段Ａには、イエロー（Ｙ）、マゼンタ（Ｍ）、シアン（Ｃ）、ブラック（Ｋ）の４つの画像形成ユニット１１３Ｙ、１１３Ｍ、１１３Ｃ、１１３Ｋが、水平方向に一定の間隔をおいて並列的に配置されている。
【００５６】
４つの画像形成ユニット１１３Ｙ、１１３Ｍ、１１３Ｃ、１１３Ｋは、すべて同様に構成されており、大別して、所定の速度で回転駆動される像担持体としての感光体ドラム１１５、感光体ドラム１１５の表面を一様に帯電する接触型の帯電装置としての帯電ロール１１６、感光体ドラム１１５の表面に所定の色に対応した画像を露光して静電潜像を形成する画像書き込み手段としてのＲＯＳ１１４、感光体ドラム１５上に形成された静電潜像を所定の色のトナーで現像する現像手段としての現像装置１１７、及び感光体ドラム１１５の表面を清掃するクリーニング装置１１８から構成されている。これらの感光体ドラム１１５と周辺に配置される画像形成部材は、一体的にユニット化されており、各画像形成ユニット１１３Ｙ、１１３Ｍ、１１３Ｃ、１１３Ｋ毎に装置本体１０１から個別に交換可能となっている。
【００５７】
ＲＯＳ１１４は、図４に示すように、４つの画像形成ユニット１１３Ｙ、１１３Ｍ、１１３Ｃ、１１３Ｋに共通に構成されており、図示しない４つの半導体レーザを各色の画像データに応じて変調して、これらの半導体レーザからレーザ光ＬＢ−Ｙ、ＬＢ−Ｍ、ＬＢ−Ｃ、ＬＢ−Ｋを画像データに応じて出射するように構成されている。尚、ＲＯＳ１１４は、複数の画像形成ユニット毎に個別に構成することもできる。半導体レーザから出射されたレーザ光ＬＢ−Ｙ、ＬＢ−Ｍ、ＬＢ−Ｃ、ＬＢ−Ｋは、図示しないｆ−θレンズを介してポリゴンミラー１１９に照射され、ポリゴンミラー１１９によって偏向走査される。ポリゴンミラー１１９によって偏向走査されたレーザ光ＬＢ−Ｙ、ＬＢ−Ｍ、ＬＢ−Ｃ、ＬＢ−Ｋは、図示しない結像レンズ及び複数枚のミラーを介して、感光体ドラム１１５上の露光ポイントに、斜め下方から走査露光される。
【００５８】
ＲＯＳ１１４は、図４に示すように、下方から感光体ドラム１１５上に画像を走査露光するものであるため、ＲＯＳ１１４には、上方に位置する４つの画像形成ユニット１１３Ｙ、１１３Ｍ、１１３Ｃ、１１３Ｋの現像装置１１７などからトナー等が落下して、汚損される虞を有している。そのため、ＲＯＳ１１４は、周囲が直方体状のフレーム１２０によって密閉されていると共に、フレーム１２０の上部には、４本のレーザ光ＬＢ−Ｙ、ＬＢ−Ｍ、ＬＢ−Ｃ、ＬＢ−Ｋを、各画像形成ユニット１１３Ｙ、１１３Ｍ、１１３Ｃ、１１３Ｋの感光体ドラム１１５上に露光するため、シールド部材としての透明なガラス製のウインドウ１２１Ｙ、１２１Ｍ、１２１Ｃ、１２１Ｋが設けられている。
【００５９】
画像処理装置１１２からは、イエロー（Ｙ）、マゼンタ（Ｍ）、シアン（Ｃ）、ブラック（Ｋ）の各色の画像形成ユニット１１３Ｙ、１１３Ｍ、１１３Ｃ、１１３Ｋに共通して設けられたＲＯＳ１１４に、各色の画像データが順次出力され、ＲＯＳ１１４から画像データに応じて出射されたレーザ光ＬＢ−Ｙ、ＬＢ−Ｍ、ＬＢ−Ｃ、ＬＢ−Ｋは、対応する感光体ドラム１１５の表面に走査露光され、静電潜像が形成される。感光体ドラム１１５上に形成された静電潜像は、現像装置１１７Ｙ、１１７Ｍ、１１７Ｃ、１１７Ｋによって、それぞれイエロー（Ｙ）、マゼンタ（Ｍ）、シアン（Ｃ）、ブラック（Ｋ）の各色のトナー像として現像される。
【００６０】
各画像形成ユニット１１３Ｙ、１１３Ｍ、１１３Ｃ、１１３Ｋの感光体ドラム１１５上に、順次形成されたイエロー（Ｙ）、マゼンタ（Ｍ）、シアン（Ｃ）、ブラック（Ｋ）の各色のトナー像は、各画像形成ユニット１１３Ｙ、１１３Ｍ、１１３Ｃ、１１３Ｋの上方に亘って配置された転写ユニット１２２の中間転写ベルト１２５上に、４つの一次転写ロール１２６Ｙ、１２６Ｍ、１２６Ｃ、１２６Ｋによって多重に転写される。これらの一次転写ロール１２６Ｙ、１２６Ｍ、１２６Ｃ、１２６Ｋは、各画像形成ユニット１１３Ｙ、１１３Ｍ、１１３Ｃ、１１３Ｋの感光体ドラム１１５に対応した中間転写ベルト１２５の裏面側に設けられている。一次転写ロール１２６Ｙ、１２６Ｍ、１２６Ｃ、１２６Ｋには、転写バイアス電源（図示しない）が接続されており、所定のトナー極性とは逆極性の転写バイアスが所定のタイミングで印加されるようになっている。
【００６１】
また、中間転写ベルト１２５は、図４に示すように、ドライブロール１２７と、テンションロール１２４と、バックアップロール１２８との間に一定のテンションで掛け回されており、図示しない定速性に優れた専用の駆動モーターによって回転駆動されるドライブロール１２７により、矢印方向に所定の速度で循環駆動されるようになっている。中間転写ベルト１２５は、例えば、チャージアップを起こさないベルト素材（ゴムまたは樹脂）にて構成されている。
【００６２】
中間転写ベルト１２５上に多重に転写されたイエロー（Ｙ）、マゼンタ（Ｍ）、シアン（Ｃ）、ブラック（Ｋ）の各色のトナー像は、図４に示すように、バックアップロール１２８に圧接する二次転写ロール１２９によって、シート材としての用紙（記録媒体）１３０上に二次転写され、これらの各色のトナー像（未定着画像）が転写された用紙１３０は、上方に位置する定着装置（定着手段）１４０へと搬送される。二次転写ロール１２９は、バックアップロール１２８の側方に圧接しており、下方から上方に搬送される用紙１３０上に、各色のトナー像を二次転写するようになっている。
【００６３】
用紙１３０は、装置本体１０１の下部に複数段配設された給紙トレイ１３１、１３２、１３３、１３４の何れかから所定サイズのものが、フィードロール１３５及びリタードロール１３６等によって一枚ずつ分離された状態で、搬送ロール１３７を備えた用紙搬送路１３８を介して給紙される。給紙トレイ１３１、１３２、１３３、１３４の何れかから給紙された用紙１３０は、レジストロール１３９で一旦停止され、中間転写ベルト１２５上の画像と同期して、レジストロール１２９によって中間転写ベルト１２５の二次転写位置へと再度給紙される。
【００６４】
各色のトナー像が転写された用紙１３０は、図４に示すように、定着装置１４０によって熱及び圧力で定着処理を受けた後、搬送ロール１４１によって、画像形成面を下にして第１の排出トレイとしてのフェイスダウントレイ１４２に排出するための第１の用紙搬送路１４３を介して、第１の用紙搬送路１４３の出口に設けられた排出ロール１４４によって、装置本体１０１の上部に設けられたフェイスダウントレイ１４２上に排出される。
【００６５】
また、上記の如く画像が形成された用紙１３０を、画像形成面を上にして排出する場合には、図４に示すように、画像形成面を上にして第２の排出トレイとしてのファイスアップトレイ（排出部）１４５に排出するための第２の用紙搬送路１４６を介して、第２の用紙搬送路１４６の出口に設けられた排出ロール１４７によって、装置本体１０１の側部（図中、左側面）に設けられるフェイスアップトレイ１４５上に排出されるようになっている。
【００６６】
尚、カラー複合機２００において、フルカラー等の両面コピーをする場合には、図４に示すように、片面に画像が定着された用紙１３０を、排出ロール１４４によってフェイスダウントレイ１４２上にそのまま排出せずに、図示しない切替ゲートによって搬送方向を切り替えると共に、排出ロール１４４を一旦停止させた後に逆転して、排出ロール１４４によって両面用の用紙搬送路（反転搬送手段）１４８へと搬送する。両面用の用紙搬送路１４８には、用紙搬送路１４８に沿って設けられた搬送ローラ１４９により、用紙１３０の表裏が反転された状態で、再度レジストロール１３９へと搬送され、今度は、用紙１３０の裏面に画像が転写・定着された後、第１の用紙搬送路１４３又は第２の用紙搬送路１４６を介して、フェイスダウントレイ１４２又はフェイスアップトレイ１４５の何れかに排出される。
【００６７】
両面用の用紙搬送路１４８の近傍には、用紙搬送路１４８で搬送する用紙１３０を通気で冷却するファン（冷却手段）１５２が設けられている。
【００６８】
図４中、１５０Ｙ、１５０Ｍ、１５０Ｃ、１５０Ｋは、イエロー（Ｙ）、マゼンタ（Ｍ）、シアン（Ｃ）、ブラック（Ｋ）の各色の現像装置１１７に、所定の色のトナーを供給するトナーカートリッジを、１５１は中間転写ベルト１２５の表面をクリーニングするクリーニング装置をそれぞれ示している。
【００６９】
図５は、本実施形態におけるカラー複合機２００の各画像形成ユニットを示す図である。
【００７０】
イエロー色、マゼンタ色、シアン色及び黒色の４つの画像形成ユニット１１３Ｙ、１１３Ｍ、１１３Ｃ、１１３Ｋは、図５に示すように、すべて同様に構成されており、これらの４つの画像形成ユニット１１３Ｙ、１１３Ｍ、１１３Ｃ、１１３Ｋでは、上述したように、それぞれイエロー色、マゼンタ色、シアン色及び黒色のトナー像が所定のタイミングで順次形成されるように構成されている。各色の画像形成ユニット１１３Ｙ、１１３Ｍ、１１３Ｃ、１１３Ｋは、上述したように、それぞれ感光体ドラム１１５を備えており、感光体ドラム１１５の表面は、一次帯電用の帯電ロール１１６によって一様に帯電される。その後、感光体ドラム１１５の表面は、ＲＯＳ１１４から画像データに応じて出射される画像形成用のレーザ光ＬＢが走査露光されて、各色に対応した静電潜像が形成される。感光体ドラム１１５上に走査露光されるレーザ光ＬＢは、感光体ドラム１１５の直下よりやや右側寄りの斜め下方から露光されるように設定されている。感光体ドラム１１５上に形成された静電潜像は、各画像形成ユニット１１３Ｙ、１１３Ｍ、１１３Ｃ、１１３Ｋの現像装置１１７の現像ロール１１７ａによってそれぞれイエロー色、マゼンタ色、シアン色、黒色の各色のトナーにより現像されて可視トナー像となり、これらの可視トナー像は、一次転写ロール１２６の帯電によって中間転写ベルト２５上に順次多重に転写される。各画像形成ユニット１１３Ｙ、１１３Ｍ、１１３Ｃ、１１３Ｋの現像装置１１７は、トナーとキャリアとからなる二成分系の現像剤を使用するものであっても、トナーのみからなる一成分系の現像剤を使用するものであっても良い。
【００７１】
尚、トナー像の転写工程が終了した後の感光体ドラム１１５の表面は、クリーニング装置１１８のクリーニングブレード１１８ａによって残留トナー等が除去されて、次の画像形成プロセスに備えるようになっている。クリーニング装置１１８では、便宜上、クリーニングブレード１１８ａやシール部材の先端が、感光体ドラム１１５の内部に入り込んだ状態で図示されているが、これは、クリーニングブレード１１８ａやシール部材の先端が、感光体ドラム１１５の表面に接触する前の自由状態を示したものである。
【００７２】
次に、本実施形態におけるカラー複合機２００のフェイスアップトレイ１４５及びファン１５２について説明する。
【００７３】
装置本体１０１の左側面には、画像形成手段Ａ及び定着装置１４０で一面又は両面に画像が形成された用紙１３０が装置本体１０１から排出される排出口１５４が形成されている。
【００７４】
また、装置本体１０１の左側面には、排出口１５４の下方であって両面用の用紙搬送路１４８の左方に装置本体１０１の内部と外部とを通気する通気口１５６が形成されている。
【００７５】
ファン１５２は、通気口１５６の装置本体１０１内部側に設けられている。ファン１５２は、カラー複合機２００の外部から内部に空気を吸気する吸気ファンである。
【００７６】
フェイスアップトレイ１４５は、排出口１５４の下部であって通気口１５６を装置本体１０１の外部から水平視で覆うように装置本体１０１の左側面に設けられている。
【００７７】
フェイスアップトレイ１４５は、装置本体１０１の左側面に取り付けられる取付部１４５ａ、及び取付部１４５ａの下端を基端部として正面視で所定角度上方に傾斜するように所定距離延びて排出口１５４から排出された用紙１３０が載るように形成されているトレイ部１４５ｂから構成されている。
【００７８】
フェイスアップトレイ１４５には、カラー複合機２００の外部と内部とを通気する通気路１４５ｃが形成されている。フェイスアップトレイ１４５の通気路１４５ｃは、フェイスアップトレイ１４５のトレイ部１４５ｂの基端部における装置本体１０１側である右端面に形成されている開口部１４５ｄとフェイスアップトレイ１４５のトレイ部１４５ｂの基端部における下端面に形成されている開口部１４５ｅとが接続されて形成される空洞である。
【００７９】
尚、開口部１４５ｄは、装置本体１０１に形成されている通気口１５６の位置と略同一位置に形成されていると共に通気口１５６の開口面積と略同一面積となるように形成されている。
【００８０】
以上、本実施形態においてファン１５２は、フェイスアップトレイ１４５に形成される通気路１４５ｃで通気する。
【００８１】
また、本実施形態において通気路１４５ｃの開口部１４５ｅは、下方に向けて開口している。
【００８２】
尚、フェイスアップトレイ１４５の通気路の開口部は、カラー複合機２００の後方に向けて開口するようにすることもできる。
【００８３】
[第３実施形態]
次に、本発明に係る画像形成装置における第３実施形態について説明する。尚、本実施形態において、第２実施形態に示す構成と同一の構成については、同一符号を付すことでその説明を省略する。
【００８４】
図６は、本実施形態における画像形成装置（カラー複合機）を示す図である。カラー複合機（画像形成装置）３００は、カラー複合機２００のフェイスアップトレイ部Ｂをフェイスアップトレイ２０２に変更すると共に、手差しトレイ部Ｃを設けたものである。尚、フェイスアップトレイ部Ｂは、フェイスアップトレイ１４５、ファン１５２、排出口１５４、及び通気口１５６から構成されている。また、フェイスアップトレイ２０２は、画像形成手段Ａ及び定着装置１４０で一面又は両面に画像が形成され装置本体１０１から排出される用紙１３０が載るように形成されている部材である。
【００８５】
以下、手差しトレイ部Ｃの構成について説明する。
【００８６】
装置本体１０１の左側面には、画像形成手段Ａに供給する用紙１３０が載るように形成されている手差しトレイ（供給部）２０４が設けられている。
【００８７】
また、装置本体１０１の左側面には、画像形成手段Ａに用紙１３０を供給する供給口２０６が形成されている。
【００８８】
また、装置本体１０１の左側面には、供給口２０６の下方であって両面用の用紙搬送路１４８の左方に装置本体１０１の内部と外部とを通気する通気口２０８が形成されている。
【００８９】
両面用の用紙搬送路１４８の近傍には、用紙搬送路１４８で搬送する用紙１３０を通気で冷却するファン（冷却手段）２１０が設けられている。ファン２１０は、通気口２０８の装置本体１０１内部側に設けられている。ファン２１０は、カラー複合機３００の外部から内部に空気を吸気する吸気ファンである。
【００９０】
尚、手差しトレイ２０４は、供給口２０６の下部であって通気口２０８を装置本体１０１の外部から水平視で覆うように装置本体１０１の左側面に設けられている。
【００９１】
また、手差しトレイ２０４は、装置本体１０１の左側面に取り付けられる取付部２０４ａ、及び取付部２０４ａの上端を基端部として正面視で所定角度上方に傾斜するように所定距離延びて画像形成手段Ａに供給する用紙１３０が載るように形成されているトレイ部２０４ｂから構成されている。
【００９２】
手差しトレイ２０４には、カラー複合機３００の外部と内部とを通気する通気路２０４ｃが形成されている。手差しトレイ２０４の通気路２０４ｃは、手差しトレイ２０４の取付部２０４ａの基端部における装置本体１０１側である右端面に形成されている開口部２０４ｄと手差しトレイ２０４の取付部２０４ａの基端部における下端面に形成されている開口部２０４ｅとが接続されて形成される空洞である。
【００９３】
尚、開口部２０４ｄは、装置本体１０１に形成されている通気口２０８の位置と略同一位置に形成されていると共に通気口２０８の開口面積と略同一面積となるように形成されている。
【００９４】
以上、本実施形態においてファン２１０は、手差しトレイ２０４に形成される通気路２０４ｃで通気する。
【００９５】
また、本実施形態において通気路２０４ｃの開口部２０４ｅは、下方に向けて開口している。
【００９６】
尚、手差しトレイ２０４の通気路の開口部は、カラー複合機３００の後方に向けて開口するようにすることもできる。
【００９７】
[第４実施形態]
次に、本発明に係る画像形成装置における第４実施形態について説明する。尚、本実施形態において、第１実施形態に示す構成と同一の構成については、同一符号を付すことでその説明を省略する。
【００９８】
図７は、本実施形態における画像形成装置の排出トレイ部を示す図である。図７（ａ）は、画像形成装置４００の排出トレイ部Ｅを示す正面図である。図７（ｂ）は、画像形成装置４００の排出トレイ部Ｅを示す側面図である。画像形成装置４００は、画像形成装置１００の排出トレイ部Ｄを排出トレイ部Ｅに変更したものである。尚、排出トレイ部Ｄは、排出トレイ５０、ファン５８、排出口６０、及び通気口６２から構成されている。
【００９９】
以下、排出トレイ部Ｅについて説明する。
【０１００】
画像形成装置本体１００Ａの右側面には、画像形成部２Ａ及び定着器４で一面又は両面に画像が形成され画像形成装置本体１００Ａから排出される記録シートＰが載るように形成されている排出トレイ３０２が設けられている。
【０１０１】
また、画像形成装置本体１００Ａの右側面には、画像形成部２Ａ及び定着器４で一面又は両面に画像が形成された記録シートＰが画像形成装置本体１００Ａから排出される排出口３０４が形成されている。
【０１０２】
また、画像形成装置本体１００Ａの右側面には、排出口３０４の下方であってインバータ通路５６の右方に画像形成装置本体１００Ａの内部と外部とを通気する通気口３０６が形成されている。尚、本実施形態において通気口３０６は、水平方向に所定間隔で２箇所に形成されている。
【０１０３】
インバータ通路５６の近傍には、インバータ通路５６で搬送する記録シートＰを通気で冷却するファン（冷却手段）３０８が設けられている。ファン３０８は、通気口３０６の画像形成装置本体１００Ａ内部側に設けられている。ファン３０８は、画像形成装置４００の外部から内部に空気を吸気する吸気ファンである。
【０１０４】
尚、排出トレイ３０２は、排出口３０４の下部であって通気口３０６を画像形成装置本体１００Ａの外部から水平視で覆うように画像形成装置本体１００Ａの右側面に設けられている。
【０１０５】
また、排出トレイ３０２は、画像形成装置本体１００Ａの右側面に取り付けられ上部が画像形成装置本体１００Ａの右側面側を基端部として正面視で所定角度上方に傾斜するように所定距離延びている取付部３０２ａ、取付部３０２ａの上方に設けられ画像形成装置本体１００Ａの右側面側を基端部として正面視で所定角度上方に傾斜するように所定距離延びて画像形成装置本体１００Ａから排出される記録シートＰが載るように形成されているトレイ部３０２ｂ、取付部３０２ａとトレイ部３０２ｂを連結してトレイ部３０２ｂに排出された記録シートＰの上下方向の位置が所定高さとなるように記録シートＰの自重に応じて上下方向に変位するコイルバネ（変位手段）３０２ｃ、及びトレイ部３０２ｂの後端から後方に所定距離の厚さに形成されトレイ部３０２ｂの上端から上方に所定距離突出している凸部３０２ｄ１を有して取付部３０２ａの後端に接続されている後端部３０２ｄから構成されている。
【０１０６】
尚、本実施形態においてコイルバネ３０２ｃは、取付部３０２ａ及びトレイ部３０２ｂが傾斜している方向に対して水平方向に基端部に２個、先端部に１個設けられている。
【０１０７】
また、後端部３０２ｄの凸部３０２ｄ１の前面には開口部３０２ｄ２が形成されている。本実施形態において開口部３０２ｄ２は、取付部３０２ａ及びトレイ部３０２ｂが傾斜している方向に対して水平方向に基端部から先端部に亘って３箇所に形成されている。
【０１０８】
排出トレイ３０２には、画像形成装置４００の外部と内部とを通気する通気路３０２ｅが形成されている。排出トレイ３０２の通気路３０２ｅは、排出トレイ３０２の取付部３０２ａの基端部における画像形成装置本体１００Ａ側である左端面に形成されている開口部３０２ｆと排出トレイ３０２の後端部３０２ｄの凸部３０２ｄ１に形成されている開口部３０２ｄ２とが接続されて形成される空洞である。
【０１０９】
尚、開口部３０２ｆは、画像形成装置本体１００Ａに形成されている通気口３０６の位置と略同一位置に形成されていると共に通気口３０６の開口面積と略同一面積となるように形成されている。
【０１１０】
以上、本実施形態においてファン３０８は、排出トレイ３０２に形成される通気路３０２ｅで通気する。
【０１１１】
また、通気口３０６の画像形成装置本体１００Ａ外部側には、排出トレイ３０２に排出された記録シートＰの表面に発生している臭気及び揮発性有機化合物（ＶＯＣ：Ｖｏｌａｔｉｌｅ  Ｏｒｇａｎｉｃ  Ｃｏｍｐｏｕｎｄ）を分解・吸着して所定の除去率で除去するフィルタ（除去手段）３１０が設けられている。
【０１１２】
尚、本発明は上記実施形態に限定されるものではなく、本発明の要旨の範囲内において種々の変形実施が可能である。
【図面の簡単な説明】
【０１１３】
【図１】図１は、第１実施形態における画像形成装置を示す図である。
【図２】図２は、第１実施形態における画像形成装置の排出トレイ及びファンの位置関係を示す図である。
【図３】図３は、第１実施形態における排出トレイに形成されている通気路を示す図である。
【図４】図４は、第２実施形態における画像形成装置（カラー複合機）を示す図である。
【図５】図５は、第２実施形態におけるカラー複合機の各画像形成ユニットを示す図である。
【図６】図６は、第３実施形態における画像形成装置（カラー複合機）を示す図である。
【図７】図７は、第４実施形態における画像形成装置の排出トレイ部を示す図である。
【符号の説明】
【０１１４】
１００，４００：画像形成装置、２００，３００：カラー複合機（画像形成装置）、２Ａ：画像形成部（画像形成手段）、Ａ：画像形成手段、４：定着器（定着手段）、１４０：定着装置（定着手段）、５６：インバータ通路（反転搬送手段）、１４８：用紙搬送路（反転搬送手段）、５８，１５２，２１０，３０８：ファン（冷却手段）、５０，３０２：排出トレイ（排出部）、１４５：ファイスアップトレイ（排出部）、２０４：手差しトレイ（供給部）、５０ｃ，１４５ｃ，２０４ｃ，３０２ｅ：通気路、５０ｅ，１４５ｅ，２０４ｅ，３０２ｄ２：開口部、３１０：フィルタ（除去手段）、３０２ｃ：コイルバネ（変位手段）、Ｐ：記録シート（記録媒体）、１３０：用紙（記録媒体）
【図１】
2008216760.tif 000003
【図２】
2008216760.tif 000004
【図３】
2008216760.tif 000005
【図４】
2008216760.tif 000006
【図５】
2008216760.tif 000007
【図６】
2008216760.tif 000008
【図７】
2008216760.tif 000009